(57)【要約】【課題】紙詰まりが起きたとき再度の紙詰まりを防止しながら紙詰まりの起きた部分の紙を除去可能な状態で自動的に排紙する又は印刷を継続する紙詰まり処理方法及び印刷装置を提供する。【解決手段】印字開始時にテープ２にジャムが発生したとき、再利用不可のテープの場合は、ソレノイド２５に強い電流を流し、上腰付けローラ２２を下腰付けローラ２１に対し強く（深く）引き下げてテープ幅方向に深い屈曲を付け、搬送ローラ１２を逆回転させ、ジャムによる搬送方向の屈曲をまっすぐに矯正しながら引き戻し、矯正終了時点で搬送ローラ１２を順回転させ、幅方向に屈曲させる矯正を維持しながらテープ２を排紙口１９から排紙しカッタ２０で切断除去する。ジャム時に再利用可能なテープの場合は、印字空白部に達するまで印字してから搬送を停止し、上腰付けローラ２２を弱く（浅く）引き下げ、上下の腰付けローラ２２、２１でテープ幅方向に浅い屈曲を付けながら引き戻した後、正搬送しながら残りの印字を行う。【選択図】図４
2015182830.tif 000002
【特許請求の範囲】
【請求項１】
被印刷部材を搬送する搬送ローラと、
搬送される前記被印刷部材に印刷を行う印刷機構と、
前記被印刷部材を排出させる排出口と、
前記被印刷部材のジャムを検知するジャム検知機構と、
前記ジャム検知機構が前記ジャムを検知していないとき、前記被印刷部材が順方向に搬送されるように前記搬送ローラを順回転させ、前記ジャム検知機構が前記ジャムを検知したとき、前記被印刷部材が逆方向に搬送されるように前記搬送ローラを逆回転させる駆動部と、
前記逆方向に搬送されている前記被印刷部材に、腰付けする矯正機構と、
を備え、
前記駆動部は、腰付けされた前記被印刷部材を前記排出口から排出されるように前記搬送ローラを順回転させる、
ことを特徴とする印刷装置。
【請求項２】
前記駆動部が前記ジャムを発生した部分を排出したのち、
前記矯正機構は非矯正位置に復帰する、
ことを特徴とする請求項１記載の印刷装置。
【請求項３】
前記印刷装置は被印刷部材の種類を識別する種類識別手段を備え、
前記矯正機構は
前記腰付けの強度を調整する調整手段を備え、
該調整手段は、前記種類識別手段が識別した前記被印刷部材の前記種類に応じて前記腰付けの強度を設定する、
ことを特徴とする請求項１または２記載の印刷装置。
【請求項４】
前記印刷機構は、前記被印刷部材が、前記ジャムを発生した部分以降の部分に継続して印刷が可能な種類であるときは、前記ジャムを検知後も印字空白部に達するまで継続印字し、再搬送される前記被印刷部材に前記印字空白部よりさらに継続して印刷を実行する、
ことを特徴とする請求項３記載の印刷装置。
【請求項５】
前記被印刷部材の前記種類は、前記被印刷部材の材質、厚み、又は幅の違い、さらには裏面糊の付着力によって分類される種類である、
ことを特徴とする請求項３又は４記載の印刷装置。
【発明の詳細な説明】
【技術分野】
【０００１】
本発明は、紙詰まりが起きたとき再度の紙詰まりを防止しながら紙詰まりの起きた部分の紙を除去可能な状態で自動的に排紙する又は印刷を継続する紙詰まり処理方法及び印刷装置に関する。
【背景技術】
【０００２】
従来、印刷装置においてジャムセンサにより紙詰まりが検出された場合、「ジャム発生」の表示によりユーザにジャム発生が報知されると共に印刷が停止する。ユーザは自分で印刷装置のカバーを開け、ジャムを発生している紙を取り除かなければならなかった。
【０００３】
これでは、ユーザの手数が掛かり過ぎるので、例えば、紙詰まりが発生した場合、用紙を逆方向に戻し、用紙の先端がグリップローラから外れる前に、再度搬送方向に搬送し、紙詰まりが発生した後に搬送された用紙をカッタにより細断して除去した後、印刷を再開するプリンタの紙詰まり処理方法が提案されている。（例えば、特許文献１参照。）
【先行技術文献】
【特許文献】
【０００４】
【特許文献１】特開２０１０−５８２７７号公報
【発明の概要】
【発明が解決しようとする課題】
【０００５】
しかしながら、ジャム（紙詰まり）はカッタで裁断されて排出されたものに発生することはなく、通常、カッタよりも前の段階で発生するものであるから、いくら一旦戻しても、再度搬送方向に搬送したときジャム癖のついた用紙はカッタの手前で再びジャムを引き起こす可能性が多大である。そうなると、カッタにより細断して除去することはできない。
【０００６】
本発明は、上記従来の課題を解決するものであって、紙詰まりが起きたとき再度の紙詰まりを防止しながら紙詰まりの起きた部分の紙を除去可能な状態で自動的に排紙する又は印刷を継続する紙詰まり処理方法及び印刷装置を提供することを目的とする。
【課題を解決するための手段】
【０００７】
上記課題を解決するために、本発明の紙詰まり処理方法及び印刷装置は、被印刷部材を搬送する搬送ローラと、搬送される上記被印刷部材に印刷を行う印刷機構と、上記被印刷部材を排出させる排出口と、上記被印刷部材のジャムを検知するジャム検知機構と、上記ジャム検知機構が上記ジャムを検知していないとき、上記被印刷部材が順方向に搬送されるように上記搬送ローラを順回転させ、上記ジャム検知機構が上記ジャムを検知したとき、上記被印刷部材が逆方向に搬送されるように上記搬送ローラを逆回転させる駆動部と、上記逆方向に搬送されている上記被印刷部材に、腰付けする矯正機構と、を備え、上記駆動部は、腰付けされた上記被印刷部材を上記排出口から排出されるように上記搬送ローラを順回転させる、ように構成される。
【発明の効果】
【０００８】
本発明は、紙詰まりが起きたとき再度の紙詰まりを防止しながら紙詰まりの起きた部分の紙を除去可能な状態で自動的に排紙する又は印刷を継続する紙詰まり処理方法及び印刷装置を提供することができる。
【図面の簡単な説明】
【０００９】
【図１】(a)は本発明の実施例１に係る印刷装置の内部構成を模式的に示す図、(b),(c)は(a)を矢印ａの方向に見た矯正機構の上下の腰付けローラと被印字媒体との関係を示す図である。
【図２】実施例１に係る印刷装置の制御部のブロック図である。
【図３】制御部のＣＰＵによって行われる印字（印刷）を実行する際に用紙がジャムを引き起こした場合の自動処理方法を含む印刷処理のフローチャートである。
【図４】(a)〜(f)は印刷処理のフローチャートに示す処理動作に対応する矯正機構の動作状態図である。
【図５】(a)〜(e)は印刷処理のフローチャートに示す処理動作におけるジャム後の印字処理を説明する図である。
【図６】矯正機構における上下の腰付けローラの各種形状の例とそれぞれに対応する被印字媒体の屈曲形状を示す図である。
【発明を実施するための形態】
【００１０】
以下、本発明の実施の形態について、図面を参照しながら詳細に説明する。なお、以下の説明において、印字と印刷は同義に用いられる。
［実施例１］
【００１１】
図１(a)は、実施例１に係る印刷装置の内部構成を模式的に示す図であり、図１(b),(c)は図１(a)を矢印ａの方向に見た矯正機構の上下の腰付けローラで形成される矯正位置と被印字媒体との関係を示す図である。
【００１２】
なお、図１(a)は印刷装置のカバーを取り除いて内部を示しており、また、印刷装置の本体筐体の左側部分は、本発明に直接関与しない部分であるので簡略化のため切り欠いて示している。
【００１３】
図１(a)に示すように、印刷装置１は、テープ状の長尺の被印字媒体（以下、単に用紙という）２を内部のリール３に巻回して保持する用紙カセット４を、本体筐体５の装着部に着脱自在に装着されている。
【００１４】
用紙２は、テープの所定の規格に基づく材質、厚み、幅等により種類が異なるものがあり、それぞれ異なる用紙カセット４に収容されている。
【００１５】
用紙カセット４には、収容している用紙２の種類を外部から識別するための複数個（図１(a)の例では４個）の突起部６を形成可能な種類被識別部７が右方の下部側面に設けられている。
【００１６】
そして、印刷装置１側においては、本体筐体５の用紙カセット装着部の、上記種類被識別部７に対応する部分に、種類識別手段としてのカセット種類検知スイッチ８が設けられている。
【００１７】
カセット種類検知スイッチ８としては、種類被識別部７に形成可能な突起部６の数に対応する複数（図１(a)の例では４個）の押しボタン型のスイッチ９（９ａ、９ｂ、９ｃ、９ｄ）が設けられている。
【００１８】
図１に示す例では、カセット種類検知スイッチ８の２個のスイッチ９ａと９ｃが、種類被識別部７に形成されている突起６によって押し込まれて種類識別手段として機能している。
【００１９】
４個のスイッチ９による識別数は、４個の列から任意の数を組み合わせる組み合わせ数で決まる値であり１５種類ある。つまり、１５種類の用紙カセット４を識別することができる。（カセット４が無い場合を含めると１６種類を識別することができる。）
【００２０】
また、用紙カセット４には、種類被識別部７に対向する右方の上部側面に、深く切り欠かれて形成された搬送ローラ挿入部１１が設けられている。
【００２１】
この搬送ローラ挿入部１１には、用紙カセット４が本体筐体５の用紙カセット装着部に装着されたとき、本体筐体５に配設されているプラテンを兼用する搬送ローラ１２が挿入される。
【００２２】
搬送ローラ１２は、回転軸１３が本体筐体５に配置されている後述する搬送ギア列と遊星ギア列を介して連結されているステッピングモータにより、用紙搬送方向に対し順回転と逆回転の両方向に回転駆動される。また、搬送ローラ１２は、印字ヘッド１４の印字部に圧接している。
【００２３】
この状態で、リール３に巻回されたロール体の状態の用紙２の先端が送出部２ａとしてロール体から引き出され、搬送ローラ１２と印字ヘッド１４との圧接部に挟持されるように設定される。
【００２４】
送出部２ａへの印字に際しては、ステッピングモータが順回転して、印字速度に合わせた速度でロール体から送出部２ａを送り出し、搬送ローラ１２が順回転し、印字ヘッド１４との圧接挟持による摩擦力で送出部２ａを搬送し、印字ヘッド１４が送出部２ａの面に所定の印字を実行する。
【００２５】
印字された用紙の印刷部２ｂは、搬送ローラ１２に送り出された後、後部ガイド１５及び前部ガイド１６により案内され、排紙センサ１７の検知領域１８を通過し、排紙口１９から本体筐体５から外部に排出される。
【００２６】
排紙口１９の外部上方にはカッタ２０が配置されており、排紙口１９から排出される印刷部２ｂは、印字終了位置から後方に所定の余白部を形成した位置がカッタ２０の刃先の下に排出されたところで停止する。
【００２７】
ユーザは、排紙口１９から排出されて停止した印刷部２ｂを指で抓んで矢印ｂで示すように上方に引き上げるだけで、送出部２ａからカッタ２０の部分で印刷部２ｂを切り離すことができる。
【００２８】
ところで、本例の印刷装置１は、印刷部２ｂが、所定の時間が経過しても排紙センサ１７の検知領域１８を通過しない、又は排紙センサ１７の受光部の受光量が閾値を超えて変化しているとき、印刷部２ｂが排紙口１９よりも手前でジャムを引き起こしていると判断する。
【００２９】
このとき、ユーザの手を煩わすことなく、ジャムを矯正して印字を続行する、又はジャムの部分を自動的にカッタで切り離し可能な状態で排紙する。このとき機能する矯正機構について説明する。
【００３０】
矯正機構は、下腰付けローラ２１、上腰付けローラ２２、上ローラ懸架軸２３、懸架軸支持アーム２４、ソレノイド２５で構成される。上部ローラ懸架軸２３は、上腰付けローラ２２を回転可能に且つ略垂直方向に上下移動可能に軸支している。
【００３１】
懸架軸支持アーム２４は、水平部２６と垂直部２７を含む一体に形成されたコの字形の部材であり、水平部２６から垂直部２７に曲がる角部を回動支点軸２８により軸支され、垂直部２７の下端部は、連結棒２９を介してソレノイド２５の可動鉄心３１に連結されている。
【００３２】
懸架軸支持アーム２４は、水平部２６を不図示の引き上げ付勢部材により、回動支点軸２８を支点にして常時上方に回動する方向（反時計回り方向）に付勢されている。これにより、矯正機構が待機状態にあるとき、又は矯正動作を解除したときは、上腰付けローラ２２は下腰付けローラ２１から上方に離れた非矯正位置にある。
【００３３】
一方、垂直部２７は、ソレノイド２５に通電されたとき、通電される電流の大きさに比例する力で内部に引き込まれる可動鉄心３１に引かれて時計回り方向に回動するよう付勢される。これにより、水平部２６は、引き上げ付勢部材の付勢力に抗して時計回り方向に回動し、上腰付けローラ２２が下腰付けローラ２１に近接する。
【００３４】
図１(b)は上腰付けローラ２２が下腰付けローラ２１に最も近接して上下の矯正位置を最も狭くし、印刷部２ｂを幅方向に最も強く屈曲させている状態を示している。このときの上腰付けローラ２２の回転中心軸と下腰付けローラ２１の回転中心軸との距離をｈ１とする。
【００３５】
図１(c)は上腰付けローラ２２が下腰付けローラ２１にやや近接して、上下の矯正位置をやや広くし、印刷部２ｂを幅方向に弱く屈曲させている状態を示している。このときの上腰付けローラ２２の回転中心軸と下腰付けローラ２１の回転中心軸との距離をｈ２とする。距離ｈ１と距離ｈ２は、屈曲の強弱に反比例する「ｈ１＜ｈ２」の関係にある。
【００３６】
図２は、上記のように構成されて上記のように動作する印刷装置１の制御部のブロック図である。図２に示すように制御部は、ＣＰＵ(central processing unit）３５を備え、ＣＰＵ３５にはＲＯＭ(read only memory)３６とＲＡＭ(Random Access Memory)３７が接続されている。
【００３７】
更に、ＣＰＵ３５には、ＣＰＵ３５から表示信号を出力するＬＣＤ(liquid crystal display)３８が接続されている。また、ＣＰＵ３５とプリンタ部４０との間では、ＣＰＵ３５から順回転逆回転のパルス信号が出力されるステッピングモータ４１が接続され、印刷データの信号が出力される印字ヘッド１４が接続されている。
【００３８】
また、プリンタ部４０からＣＰＵ３５へは、図１では図示を省略した上蓋の開閉を検出する上蓋スイッチ４２から上蓋の開閉信号が出力され、カセット種類検知スイッチ８から装着部に装着された用紙カセット４の種類を示す信号が出力され、ホームセンサ４３から矯正機構の上腰付けローラ２２が非矯正位置にあるか否かを検出するホームポジション検出のオン・オフ信号が出力される。
【００３９】
なお、プリンタ部４０には、上記の他に、図１(a)では図示を省略した遊星ギア群４４、搬送ギア列４５をブロックで纏めて示している。搬送ギア列４５からは図１(a)で説明したように、プラテンを兼ねる搬送ローラ１２が回転駆動される。
【００４０】
図２において、ＣＰＵ３５は、図１(a)に示した本体筐体５の不図示のＵＳＢジャックを介して外部のパーソナルコンピュータ（以下、ＰＣという）４６等にＵＳＢ接続され、ＰＣ４６のアプリケーション上で作製された印刷データがＣＰＵ３５に送信される。
【００４１】
ＣＰＵ３５は、ＰＣ４６から受信した印刷データを、ＲＡＭ３７の所定の領域に設置した印刷バッファ内に展開し、展開した印刷データに基づいて、一方ではステッピングモータ４１へパルス信号を送信し、他方ではステッピングモータ４１によるテープ送りピッチに合わせて印字ヘッド１４に印刷データを転送し、送出部２ａに対する印刷データの印刷を実行する。
【００４２】
図３は、印字（印刷）を実行する際に用紙がジャムを引き起こした場合の自動処理方法を含む印刷処理のフローチャートである。なお、この処理は図２に示した制御部のＣＰＵ３５によって行われる処理である。また、以下の説明では、送出部２ａ及び印刷部２ｂともに、単にテープ２ということもある。
【００４３】
図４(a)〜(f)は、上記印刷処理のフローチャートに示す処理動作に対応する図１(a),(b),(c)で説明した矯正機構の動作状態図である。なお、図４(a)〜(f)は、動作の変化を比較しやすいように、図１(a)に破線丸ｃで囲んで示す部分のみを取り出して示している。
【００４４】
また、図４(a)〜(f)には、フローチャートで説明する動作に関係する部分にのみ、図１(a)と同一の番号を付与し、その他の部分には番号の付与を省略している。
【００４５】
図３において、印刷処理が開始されると、ＣＰＵ３５は、先ず、排紙センサ１７の出力信号が「正常」を示しているか否か判別する（ステップＳ１）。この処理では、テープ２の先端が検知領域１８に入っていることを排紙センサ１７が検知すれば、排紙センサ１７の出力信号は「正常」を示している。
【００４６】
もし、排紙センサ１７の出力信号が「正常」を示していないときは（ステップＳ１の判別がＮｏ）、この場合は、図４(a)に示すように、テープ２の先端がジャムを引き起こし、排紙センサ１７の検知領域１８に入っていない場合である。
【００４７】
この場合は、ＣＰＵ３５は、ＲＡＭ３７の所定のフラグ記憶領域に「非正常フラグ」を設定する（ステップＳ２）。次に、ＣＰＵ３５は、印字ヘッド１４をＯＦＦにして印刷を停止すると共に搬送ローラ１２の回転を止めて搬送を停止する（ステップＳ３）。更に、ＣＰＵ３５は、ＬＣＤ３８に、例えば「ジャム発生」と表示して、ジャムが発生したことをユーザに報知する（ステップＳ４）。
【００４８】
続いて、ＣＰＵ３５は、ジャムを起こしたテープが再利用可能な種類のテープであるか否か判別する（ステップＳ５）。この処理では、図１(a)に示したカセット種類検知スイッチ８の出力と、ＲＯＭ３６の所定の記憶領域に予め記憶されている種類テーブルを参照する。
【００４９】
種類テーブルには、特には図示しないが、カセット種類検知スイッチ８の１５種類の出力と、これらの出力に対応するテープの材質、厚み、幅と、再利用が可能な腰の強いテープか、再利用ができない腰の弱いテープであるか、あるいは裏糊のため再利用が出来ないテープを示す区分とが、対応付けられて記述されている。
【００５０】
上記ステップＳ５の判別で、テープ２が再利用可能な種類のテープである場合は（ステップＳ５の判別がＹｅｓ）、ＣＰＵ３５は、先ず、印刷と搬送を停止した時点以降で所定の距離以内に印字空白部が存在している場合は、その印字空白部までを印字する（ステップＳ６）。
【００５１】
この処理では、例えば、図５(a)に示すように、一枚の完成テープに対応する一区切り分の印刷（文字、飾り、修飾）４７が「ファイルＮ」であったとする。そして、印刷と搬送を停止した時点で、図５(ｄ)の二点鎖線枠内に示すように、「ァ」の字の後に印字空白部が存在していたとする。
【００５２】
この判断は、印刷バッファに展開した印刷データの未印字部分（つまり印字ヘッド１４にどこまで転送したか）を調べることによって容易に判断できる。そして、印字空白部があるときは、図５(c)に示すように、一文字の未印字部分を継続印字する。
【００５３】
なお、図５(b),(c)には、下方にテープ２の平面図、その上方にテープ２の側面図、最上部に印字ヘッド１４を示している。印字ヘッド１４は、例えば搬送方向に直交する幅方向に、発熱素子アレイからなる印字部４８を備えている。図では、印字部４８によるテープ２を横切る印字走査線４９を二点鎖線で示している。
【００５４】
ステップＳ６で、印字空白部があって、未印字部分を継続印字したときは、フローチャートには示していないが、図５(c)に示すように、印字空白部に達したところで、印字と搬送を停止する。このとき継続印字して搬送した分だけジャム部分は拡大しているが所定の長さの範囲内に抑えているので問題はない。
【００５５】
続いて、図３において、ＣＰＵ３５は、腰付けローラを「弱」の状態でＯＮにする（ステップＳ７）。この処理では、図４(b)に示すソレノイド２５に、弱く設定された電流が通電される。
【００５６】
この通電で、可動鉄心３１がソレノイド２５内に弱い力で引き込まれ、連結棒２９を介して矢印ｃで示す方向に懸架軸支持アーム２４の垂直部２７を弱い力で引き込み、懸架軸支持アーム２４全体は回動支点軸２８を支点に矢印ｄで示す時計回り方向に回動する。
【００５７】
懸架軸支持アーム２４の回動は、上ローラ懸架軸２３を介して、上腰付けローラ２２を矢印ｄで示す方向、すなわち下腰付けローラ２１に近接する方向に移動させる。これにより、図１(c)に示したように、用紙２の印刷部２ｂ（テープ２）が上腰付けローラ２２と下腰付けローラ２１との間に弱い力で挟まれる。
【００５８】
次に、ＣＰＵ３５は、ステッピングモータ４１に、逆回転方向の電流を通電して逆回転させて、図４(c)に示すように、搬送ローラ１２を矢印ｅで示す方向に回転させ、テープ２を矢印ｆで示すように巻き戻す（ステップＳ８）。
【００５９】
この処理では、ＣＰＵ３５は、テープ２の先端が上腰付けローラ２２と下腰付けローラ２１とで形成されている上下の矯正部を通過した直後に搬送を停止させる。これにより、図４(a),(b)に示すテープ２の先端部のジャム部が全て逆送されながら矯正部を通過する。
【００６０】
矯正部を通過後は、図１(c)に示したように、テープ２には搬送方向に直交する方向に母線を持つ形状に屈曲した癖が付けられるため、搬送方向にまっすぐな状態に矯正されると共に、曲げ癖が搬送方向に強い腰を形成する。
【００６１】
ここで、ＣＰＵ３５は、ステッピングモータ４１に、順回転方向の電流を通電して順回転させて、図４(d)に示すように、搬送ローラ１２を矢印ｇで示す順回転方向に回転させ、テープ２を矢印ｈで示すように搬送する（ステップＳ９）。
【００６２】
そして、ステップＳ６で未印字を継続印字して印字と搬送を停止した印字の空白部から後の一区切り分の印刷をさらに印刷実行（継続印刷）する（ステップＳ１０）。この処理では、図４(d),(e),(f)に示すように一区切り分の印刷が進行する。
【００６３】
そして、テープ２には、ジャム時に中断した一区切り分の印字データ「ファイルＮ」の印字が、図５(d)の一区切り分の印字継続部分５１に示すように完成する。
【００６４】
テープ２の排紙方向には、前述したように、曲げ癖が搬送方向に強い腰を形成されているので、図４(e)に示すように、テープ２の先端はジャムすることなく、排紙センサ１７の検知領域１８を通過する。
【００６５】
この印刷実行では、ＣＰＵ３５は、フローチャートには示していないが、図４(f)に示すように、一区切り分の印刷実行後、印刷終了位置から後方に所定の余白部を形成した位置がカッタ２０の刃先の下に排出されたところまでテープ２を搬送して停止させる。
【００６６】
そして、ＣＰＵ３５は、ＲＡＭ３７のフラグ記憶領域を参照し、「非正常フラグ」が設定されているか否か判別する(ステップＳ１１）。この場合は、ステップＳ２で「非正常フラグ」が設定されている（ステップＳ１１の判別がＹｅｓ）。
【００６７】
この場合は、ＣＰＵ３５は、腰付けローラをＯＦＦにする（ステップＳ１２）。以下、上腰付けローラ２２と下腰付けローラ２１とで上下の矯正部を形成することを「腰付けローラＯＮ」といい、矯正部を解除することを「腰付けローラＯＦＦ」ということにする。
【００６８】
そして、ユーザによって、図１(a)に示したように（図４(f)も同一）印字済みのテープ２がカットされるのを待って（ステップＳ１３）、次の印刷があるか否か判断する（ステップＳ１４）。この処理は、印刷バッファに展開した印刷データが残っているかを判断する処理である。
【００６９】
そして、次の印刷がなければ（ステップＳ１４の判別がＮｏ）、印刷処理を終了する。一方、次の印刷があれば（ステップＳ１４の判別がＹｅｓ）、ＲＡＭ３７のフラグ記憶領域に「正常フラグ」を設定して（ステップＳ１５）、ステップＳ１に戻ってステップＳ１以下の処理を行う。
【００７０】
このように、本発明における印刷処理では、テープ２が腰のあるテープであって、ジャムしても再利用が利く場合、印字空白部に達するまで印字してしまうので、ジャムにより印刷途中で印字と搬送を止め、逆送りし、再排紙搬送で再印刷しても、印字前と印字再開の部分に図５(e)に示すような白筋５２が出来たりすることはない。
【００７１】
なお、ステップＳ１３の処理後、ただし、記号や修飾の印刷時のジャムで、文字間の印字空白部までが所定の長さより長い場合は、フローチャートには示していないが、直ちに印字を停止して、カットしたテープを廃棄し、印字の最初から、再印字を行うようにする。
【００７２】
次に、上記ステップＳ１の判別で、排紙センサ１７の出力信号が「正常」を示しているときは（ステップＳ１の判別がＹｅｓ）、直ちにステップＳ１０に移行して印刷を実行する。この場合はジャムを生じていないので、図１(a)に示したように、排紙口１９から排出される印刷部２ｂは、印字終了位置から後方に所定の余白部を形成した位置がカッタ２０の刃先の下に排出されたところで停止する。
【００７３】
また、この場合はジャムが生じていないので、次のステップＳ１１の判別はＮｏとなるので、ＣＰＵ３５は、ただちに、ステップＳ１３の処理に移って印字済みのテープ２がカットされるのを待ち、ステップＳ１４の処理で次の印刷があるか否か判断する。
【００７４】
そして、次の印刷がなければ、印刷処理を終了し、次の印刷があるときは、ＲＡＭ３７のフラグ記憶領域を参照し、「正常フラグ」が設定されていることを確認して、ステップＳ１に戻ってステップＳ１以下の処理を行う。
【００７５】
このように、ジャムが発生しないときは、印刷実行の指示に基づいて、繰り返し次の一区切り分の印刷が円滑に実行されていく。
【００７６】
また、上記ステップＳ５の判別で、テープ２が再利用できない種類のテープである場合は（ステップＳ５の判別がＮｏ）、ＣＰＵ３５は、ユーザにより押された操作部のボタンが強制排紙の選択を示しているか否か判別する（ステップＳ１６）。
【００７７】
この場合、ユーザは、ＬＣＤ３８に「ジャム発生」が表示され、印刷装置１が「逆搬送（巻き戻し）」等の動作がなく完全に停止しているので、上蓋スイッチ４２を押して上蓋を開き、排紙センサ１７の手前で図４(a)に示すようなジャムが発生していることを確認して、強制排紙するか、そのまま印刷を中止するか判断するものとする。
【００７８】
そして、強制排紙が選択されていないときは（ステップＳ１６の判別がＮｏ）、ＣＰＵ３５は、印刷を中止する（ステップＳ１７）。なお、この場合は、ユーザがその後印刷の再開を指示したときは、ステップＳ１の判別ではＮｏとなり、ステップＳ５の判別でもＮｏとなるので、再びユーザは操作部のボタンを操作して強制排紙するか否かを選択することになる。
【００７９】
そして、ユーザにより押された操作部のボタンが強制排紙の選択を示していれば（ステップＳ１６の判別がＹｅｓ）、ＣＰＵ３５は、腰付けローラを「強」の状態でＯＮにする（ステップＳ１８）。この処理では、図４(b)に示すソレノイド２５に、強く設定された電流が通電される。
【００８０】
この通電で、可動鉄心３１がソレノイド２５内に強い力で引き込まれ、連結棒２９を介して矢印ｃで示す方向に懸架軸支持アーム２４の垂直部２７を強い力で引き込み、懸架軸支持アーム２４全体は回動支点軸２８を支点に矢印ｄで示す時計回り方向に大きく回動する。
【００８１】
懸架軸支持アーム２４の回動は、上ローラ懸架軸２３を介して、上腰付けローラ２２を矢印ｄで示す方向、すなわち下腰付けローラ２１に最も近接する方向に移動させる。これにより、図１(b)に示したように、テープ２が上腰付けローラ２２と下腰付けローラ２１との間に深く挟まれる。
【００８２】
次に、ＣＰＵ３５は、ステッピングモータ４１に、逆回転方向の電流を通電して逆回転させて、図４(c)に示すように、搬送ローラ１２を矢印ｅで示す方向に回転させ、テープ２を矢印ｆで示すように巻き戻す（ステップＳ１９）。
【００８３】
この処理では、ＣＰＵ３５は、テープ２の先端が上腰付けローラ２２と下腰付けローラ２１とで形成されている上下の矯正部を通過した直後に搬送を停止させる。これにより、図４(a),(b)に示すテープ２の先端部のジャム部が全て逆送されながら矯正部を通過する。
【００８４】
矯正部を通過後は、図１(b)に示したように、テープ２には搬送方向に直交する方向に母線を持つ形状に大きく屈曲した癖が付けられるため、搬送方向にまっすぐな状態に矯正されると共に、曲げ癖が搬送方向に強い腰を形成する。
【００８５】
ここで、ＣＰＵ３５は、ステッピングモータ４１に、順回転方向の電流を通電して順回転させて、図４(d)に示すように、搬送ローラ１２を矢印ｇで示す順回転方向に回転させ、テープ２を矢印ｈで示すように搬送し、図４(e),(f)に示すように、再利用不能な状態で損傷したジャム発生部分を排紙口１９から外に全部排出する（ステップＳ２０）。
【００８６】
そして、ＣＰＵ３５は、腰付けローラをＯＦＦとし（ステップＳ２１）、排出されたテープ２がユーザによって図４(f)に示すようにカットされるのを待って（ステップＳ２２）、次の印刷が選択されているか否か判断する（ステップＳ２３）。この処理は、ユーザにより押された操作部のボタンが印刷実行の選択を示しているか判断する処理である。
【００８７】
そして、印刷実行が選択されていれば（ステップＳ２３の判別がＹｅｓ）、ＲＡＭ３７のフラグ記憶領域に「正常フラグ」を設定して（ステップＳ１５）、ステップＳ１に戻ってステップＳ１以下の処理を行う。一方、印刷実行が選択されていないときは（ステップＳ２３の判別がＮｏ）、印刷処理を終了する。
【００８８】
このように、ジャムした後の再利用ができない種類のテープの場合は、幅方向に強い屈曲を付けてから強制的に排紙してカットし、廃棄する。なお、上記の説明では腰が弱いテープを例にとって説明したが、裏糊が露出している種類のテープで腰が強くてもジャムで裏糊の粘着機能が損なわれるものは、再利用不可のテープとして分類される。
【００８９】
ところで、幅広のテープに印刷を行うときにジャムが発生した場合、図１(b),(c)に示した矯正方法では、いずれの場合も屈曲部の底部と幅の両端との間の高さが高くなる。したがって、再印字または強制排紙のときテープの先端が排紙センサ１７の検知領域１８を通過できない可能性ある。
【００９０】
図６(a)は比較のため図１(b),(c)に示した上腰付けローラ２２と下腰付けローラ２１を再掲した図であり、腰付けの矯正により搬送方向に沿って谷状の屈曲を付けられているテープ２ｂを上方に示している。
【００９１】
図６(b)は、山形と谷形が連設された上腰付けローラ５３と、その山形と谷形に対応して谷形と山形が連設された下腰付けローラ５４を下方に示し、上方にこれら１対の腰付けローラによる腰付けの矯正により搬送方向に沿って谷状と山状の屈曲を付けられているテープ２ｂを上方に示している。
【００９２】
図６(c)は、山形と山形が連設されて中央に谷形が形成されている上腰付けローラ５５と、その形状に対応して谷形と谷形が連設されて中央に山形が形成されている下腰付けローラ５６を下方に示し、上方にこれら１対の腰付けローラによる腰付けの矯正により搬送方向に沿って谷状と山状と谷状の屈曲を付けられているテープ２ｂを上方に示している。
【００９３】
また当然のことながら、腰付けされたテープ２の先端部形状は排紙経路途中で引っかからないようにテープ厚さ方向における屈曲部最大最小間の幅が排紙口に排出するまで、通過間口の高さより小さくなるように設定されている。
図６(b),(c)に示すように、テープ２の幅方向に谷状と山状を連続させて屈曲をつけて矯正すると、幅の広いテープでも矯正後の谷と山との高さが大きくならないので、再印字または強制排紙のときテープの先端が排紙センサ１７の検知領域１８を容易に通過することができるようになる。
【００９４】
また、幅方向の屈曲が谷状と山状が連続する形となるため、図６(a)のように谷状のみの場合と比べて、搬送方向における曲げに対する腰の抵抗力が一層強くなるので、幅の広いテープに適する矯正方法といえる。
【００９５】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００９６】
被印刷部材を搬送する搬送ローラと、
搬送される前記被印刷部材に印刷を行う印刷機構と、
前記被印刷部材を排出させる排出口と、
前記被印刷部材のジャムを検知するジャム検知機構と、
前記ジャム検知機構が前記ジャムを検知していないとき、前記被印刷部材が順方向に搬送されるように前記搬送ローラを順回転させ、前記ジャム検知機構が前記ジャムを検知したとき、前記被印刷部材が逆方向に搬送されるように前記搬送ローラを逆回転させる駆動部と、
前記逆方向に搬送されている前記被印刷部材に、腰付けする矯正機構と、
を備え、
前記駆動部は、腰付けされた前記被印刷部材を前記排出口から排出されるように前記搬送ローラを順回転させる、
ことを特徴とする印刷装置。
[付記２]
【００９７】
前記駆動部が前記ジャムを発生した部分を排出したのち、
前記矯正機構は前記非矯正位置に復帰する、
ことを特徴とする付記１記載の印刷装置。
[付記３]
【００９８】
前記印刷装置は被印刷部材の種類を識別する種類識別手段を備え、
前記矯正機構は
前記腰付けの強度を調整する調整手段を備え、
該調整手段は、前記種類識別手段が識別した前記被印刷部材の前記種類に応じて前記腰付けの強度を設定する、
ことを特徴とする付記１または２記載の印刷装置。
[付記４]
【００９９】
前記印刷機構は、前記被印刷部材が、前記ジャムを発生した部分以降の部分に継続して印刷が可能な種類であるときは、前記ジャムを検知後も印字空白部に達するまで継続印字し、前記再搬送される前記被印刷部材に前記印字空白部よりさらに継続して印刷を実行する、
ことを特徴とする付記３記載の印刷装置。
[付記５]
【０１００】
前記被印刷部材の前記種類は、前記被印刷部材の材質、厚み、又は幅の違い、さらには裏面糊の付着力によって分類される種類である、
ことを特徴とする付記３又は４記載の印刷装置。
【産業上の利用可能性】
【０１０１】
本発明は、紙詰まりが起きたとき再度の紙詰まりを防止しながら紙詰まりの起きた部分の紙を除去可能な状態で自動的に排紙する又は印刷を継続する紙詰まり処理方法及び印刷装置に利用することができる。
【符号の説明】
【０１０２】
１  印刷装置
２  被印字媒体（用紙）
２ａ  送出部
２ｂ  先端部
３  リール
４  用紙カセット
５  本体筐体
６  突起部
７  種類被識別部
８  カセット種類検知センサ
９（９ａ、９ｂ、９ｃ、９ｄ）  スイッチ
１１  搬送ローラ挿入部
１２  搬送ローラ
１３  回転軸
１４  印字ヘッド
１５  後部ガイド
１６  前部ガイド
１７  排紙センサ
１８  検知領域
１９  排紙口
２０  カッタ
２１  下腰付けローラ
２２  上腰付けローラ
２３  上ローラ懸架軸
２４  懸架軸支持アーム
２５  ソレノイド
２６  水平部
２７  垂直部
２８  回動支点軸
２９  連結棒
３１  可動鉄心
３５  ＣＰＵ(central processing unit）
３６  ＲＯＭ(read only memory)
３７  ＲＡＭ(Random Access Memory)
３８  ＬＣＤ(liquid crystal display)
４０  プリンタ部
４１  ステッピングモータ
４２  上蓋スイッチ
４３  ホームセンサ
４４  遊星ギア群
４５  搬送ギア列
４６  パーソナルコンピュータ
４７  一区切り分の印刷
４８  印字部
４９  印字走査線
５１  一区切り分の印字継続部分
５２  白筋
５３、５５  上腰付けローラ
５４、５６  下腰付けローラ
【図３】
2015182830.tif 000003
【図４】
2015182830.tif 000004
【図５】
2015182830.tif 000005
【図６】
2015182830.tif 000006
【図１】
2015182830.tif 000007
【図２】
2015182830.tif 000008